(57)【特許請求の範囲】
【請求項１】
コークバケットとバケットカバーのシール構造において、バケットカバー下部の外周に、上下に可動な断熱クロス製シールを設置したことを特徴とするコークバケットカバーのシール構造。
【請求項２】
コークバケットとバケットカバーのシール構造において、バケットカバー下部の外周に、上下に伸縮可能なジャバラ状シールを設置したことを特徴とするコークバケットカバーのシール構造。
【請求項３】
バケットカバーの外周にコークバケット上端と請求項１または請求項２のいずれかに記載のバケットカバーのシールとを密着させる密着機構を有することを特徴とするコークバケットカバーのシール構造。
【発明の詳細な説明】
【０００１】
【発明の属する技術分野】
本発明は、赤熱コークス搬送用のコークバケットにおいて、バケットカバーシール部にコークバケット及びバケットカバーの熱変形に対して、両者の間隙を閉塞するためのシールプレートを装着することにより、コークバケットとバケットカバー間からの発塵を防止するバケットカバーのシール構造に関する。
【０００２】
【従来の技術】
従来技術では、コークバケットとバケットカバーとの間に一体もののシール金物を設置することにより、コークバケットとコークバケットカバー間からの発塵を防止する対策を講じている。
例えば、実開昭６０−２５７３８号公報に記載の技術は、図７に示す。
この技術は、コークバケット２とバケットカバー１間に板バネ状のシールプレート１１とシールパイプ１２を装着することにより、発塵を防止する方法が記載されている。
【０００３】
しかし、実開昭６０−２５７３８号公報では、シールプレート１１とバケットカバー１とが一体の構造となっており、コークバケット２及びバケットカバー１の熱変形にともない、シールプレート１１自体も変形する。この場合、板状のシールプレート１１では、コークバケット２の部分的な熱変形に対する追従性に乏しく、バケットカバー１とコークバケット２間に間隙が生じやすく、発塵を引き起こす原因となりうる。
【０００４】
【発明が解決しようとする課題】
したがって、本発明の目的は、赤熱コークスを搬送するコークバケットにおいて、コークバケットとバケットカバー間に間隙が発生することを防止し、発塵を防止するバケットカバーのシール構造を提供することにある。
【０００５】
【課題を解決するための手段】
本発明は上記課題を解決するために、
（１）コークバケットとバケットカバーのシール構造において、バケットカバー下部の外周に、上下に可動な断熱クロス製シールを設置したことを特徴とするコークバケットカバーのシール構造であり、
（２）コークバケットとバケットカバーのシール構造において、バケットカバー下部の外周に、上下に伸縮可能なジャバラ状シールを設置したことを特徴とするコークバケットカバーのシール構造であり、
（３）バケットカバーの外周にコークバケット上端と（１）または（２）のいずれかに記載のバケットカバーのシールとを密着させる密着機構を有することを特徴とするコークバケットカバーのシール構造である。
【０００６】
【発明の実施の形態】
赤熱コークスを搬送するコークバケットにおいて、赤熱コークスからの熱によりコークバケット及びバケットカバーの熱変形が生じた場合でも、本発明の上下に可動な断熱クロス製、例えばアスベストクロス材のシールを用いることにより、シールプレート自体の熱変形を小さくすると同時に、コークバケット及びバケットカバーの部分的な変形に対する追従性が向上し、コークバケットとバケットカバー間の閉塞性を向上することができる。
【０００７】
また、赤熱コークスを搬送するコークバケットにおいて、赤熱コークスからの熱によりコークバケット及びバケットカバーの熱変形が生じた場合でも、本発明の上下に伸縮可能なジャバラ構造のシールを用いることにより、シールプレート自体の熱変形を小さくすると同時に、コークバケット及びバケットカバーの部分的な変形に対する追従性が向上し、コークバケットとバケットカバー間の閉塞性を向上することができる。
【０００８】
また、赤熱コークスを搬送するコークバケットにおいて、赤熱コークスからの熱によりコークバケット及びバケットカバーの熱変形が生じた場合でも、本発明の周方向に分割したプレート状のシールを用いることにより、シールプレート自体の熱変形を小さくすると同時に、コークバケット及びバケットカバーの部分的な変形に対する追従性が向上し、コークバケットとバケットカバー間の閉塞性を向上することができる。
【０００９】
また、ジャバラ状または周方向に分割したプレート状のシール材に例えば、ＳＵＳ３０９を用いることにより、耐熱性及び、ジャバラ状のシール材の柔軟性を確保することが可能であり、コークバケット本体及びバケットカバーのコーナー部の反りが生じた場合でも、バケット本体上部とバケットカバーに設置したシールとの密着性を確保することができる。
【００１０】
また、周方向に分割したプレート状のシールの内面に断熱クロスを周方向に設置することにより、分割したプレート状のシール間の間隙を閉塞させ、コークバケットとバケットカバー間の閉塞性を確保することができる。
【００１１】
また、断熱クロス製またはジャバラ状または周方向に分割したプレート状のシールを設置した場合に、密着機構を設けることにより、コークバケット、バケットカバー及びシールプレートの熱変形に対する追従性が更に向上し、コークバケットとバケットカバー間の閉塞性を向上させることができる。ここでは、密着機構は、密着力を確保するための板バネと板バネから密着力をシールプレートに伝えるシャフト及び取り付け金具からなり、バケットカバーの外周に複数箇所設置する。
【００１２】
また、断熱クロス製またはジャバラ状または周方向に分割したプレート状のシールを設置した場合に、シールの各部位の密着力の調整が可能な密着機構を設けることにより、コークバケット、バケットカバー及びシールプレートの熱変形に対する追従性が更に向上し、コークバケットとバケットカバー間の閉塞性を向上させることができる。ここで、密着機構は、密着力調整用のコイルバネ内蔵型のプランジャ及び取り付け金具からなり、バケットカバーの外周に複数箇所設置する。
【００１３】
【実施例】
以下、本発明の実施例に基づき本発明をより詳細に説明する。
【００１４】
図１及び図２は本発明に使用する断熱クロス製のシール及び密着機構の実施例を示す説明図である。
【００１５】
図１において、断熱クロス製シール３は、バケットカバー１とコークバケット２間に設置されており、バケットカバー１に固定されている。断熱クロス製シール３は、バケットカバー周方向にわたり上下に可動な断熱クロス製のシール構造を有している。
【００１６】
図３及び図４は本発明に使用するジャバラ状のシール及び密着機構の実施例を示す説明図である。
【００１７】
図４において、ジャバラ状シール４は、バケットカバー１とコークバケット２間に設置されており、バケットカバー１に固定されている。ジャバラ状シール４は、バケットカバー周方向にわたり上下に伸縮可能なジャバラ構造を有している。
【００１８】
図５及び図６は本発明に使用する周方向に分割されたプレート状のシール及び密着機構の実施例を示す説明図である。
【００１９】
図５において、分割型プレート状シール５は、バケットカバー１とコークバケット２間に設置されており、バケットカバー１に固定されている。分割型プレート状シール５は、バケットカバー周方向にわたり分割されたプレート状のシール構造を有している。
また、分割型プレート状シール５の内面には周方向に断熱シールクロス６が設置されている。
【００２０】
図２において、断熱クロス製シール３は、密着力を確保するための板バネ７と板バネの反力をシールプレート８へ伝達するためのシャフト９からなる密着装置によりコークバケット本体に密着することにより、シールの追従性を向上させることができ、閉塞性が向上した結果、前記シール部からの発塵を低減させることができた。
【００２１】
図４及び図６において、ジャバラ状シール４または断熱クロスシール６は、密着力調整用のコイルバネ内蔵型のプランジャ１０からなる密着装置によりコークバケット本体に密着される。プランジャ１０は、本体内蔵のコイルバネの締め付け力を調整することにより個々の密着力の調整が可能であり、操業状態におけるバケットカバー１及びコークバケット２の任意の位置での変形量に応じて、密着力を調整することにより、シールの追従性を向上させることができ、閉塞性が向上させることができ、閉塞性が向上した結果、前記シール部からの発塵を低減させることができた。
【００２２】
【発明の効果】
本発明によれば、赤熱コークスを搬送するコークバケトにおいて、
１）矩形コークバケットの場合、コーナー部に、熱によるたわみが生じやすいが、シール構造をバケットカバーとコークバケット間のシール金物を上下可動な断熱クロス材を用いた構造としたこと及び密着機構を備えたことにより、または上下に伸縮可能なジャバラ状またはプレート状のシールを周方向に分割した構造としたこと及び密着機構を備えたことにより、たわみに応じてバケットカバーのシールをコークバケットに密着させることが可能であり、バケットカバーとコークバケット間からの発塵を防止することができ、コークス炉まわりの環境を改善できる。
【００２３】
２）円形コークバケットの場合においても、周方向の温度分布が不均一であることから生じる周方向の熱変形に対してシール構造をバケットカバーとコークバケット間のシール金物を上下可動な断熱クロス材を用いた構造としたこと及び密着機構を備えたことにより、または上下に伸縮可能なジャバラ状またはプレート状のシールを周方向に分割した構造としたこと及び密着機構を備えたことにより、たわみに応じてバケットカバーのシールをコークバケットに密着させることが可能であり、バケットカバーとコークバケット間からの発塵を防止することができ、コークス炉まわりの環境を改善できる。
【００２４】
３）板バネと板バネの反力をシールプレートへ伝達するためのシャフトからなる密着機構を用いることにより、バケットカバーのシールとコークバケットの密着性を向上させ、バケットカバーとコークバケット間からの発塵を防止することができ、コークス炉周りの環境を改善できる。
【００２５】
４）圧力調整可能なコイルバネ内蔵型のプランジャからなる密着機構を用いることにより、操業状態におけるバケットカバー及びコークバケットの変形量に応じて、任意の位置の密着力を調整することにより、バケットカバーのシールとコークバケットの密着性を向上させ、バケットカバーとコークバケット間からの発塵を防止することができ、コークス炉まわりの環境を改善できる。
【図面の簡単な説明】
【図１】本発明に使用する断熱クロス製のシール及び密着機構の実施例を示す説明図である。
【図２】図１の実施例の拡大図で、（ａ）は断面説明図、（ｂ）は側面図ある。
【図３】本発明に使用するジャバラ状のシール及び密着機構の実施例を示す説明図である。
【図４】図３の実施例の拡大図で、（ａ）は断面説明図、（ｂ）は側面図ある。
【図５】本発明に使用する周方向に分割されたプレート状のシール及び密着機構の実施例を示す説明図である。
【図６】図５の実施例の拡大図で、（ａ）は断面説明図、（ｂ）は側面図ある。
【図７】従来のシール方法の一例を示す説明図である。
【符号の説明】
１    コークバケットカバー
２    コークバケット
３      断熱クロス製シール
４    ジャバラ状シール
５    分割型プレート状シール
６    断熱クロスシール
７    板バネ
８    シールプレート
９    シャフト
１０    密着力調整用コイルバネ内蔵型プランジャ
１１    シール板
１２      シールパイプ
【図１】
0003549964.tif 000002
【図２】
0003549964.tif 000003
【図３】
0003549964.tif 000004
【図４】
0003549964.tif 000005
【図５】
0003549964.tif 000006
【図６】
0003549964.tif 000007
【図７】
0003549964.tif 000008